(57)【要約】【課題】様々な方向に向かう応力がコンタクトに加えられた場合であってもハウジングとコンタクトの相対関係を維持できるコネクタを提供すること。【解決手段】各コンタクト４００に第１圧入部４２２と第２圧入部４３２の２種類の圧入部を設ける。第１圧入部４２２はＸ方向の両外側に向かって突出しており、第２圧入部４３２はＹ方向の両外側に向かって突出している。即ち、第１圧入部４２２の突出方向は、第２圧入部４３２の突出方向と直交している。従って、ＸＹ平面内において様々な方向に向かう応力がコンタクト４００に加えられた場合であっても、ハウジングによるコンタクト４００の保持が緩んでしまうことを避けることができる。【選択図】図７
2015035283.tif 000002
【特許請求の範囲】
【請求項１】
ハウジングと、
第１方向の両側に突出した少なくとも１組の第１圧入部と、前記第１方向と直交する第２方向において両側に突出した少なくとも１組の第２圧入部とを夫々有する複数のコンタクトであって、前記第１圧入部及び前記第２圧入部を前記ハウジングに圧入されることにより前記ハウジングに保持された複数のコンタクトと
を備えるコネクタ。
【請求項２】
請求項１記載のコネクタであって、
前記第１圧入部及び前記第２圧入部は、夫々、圧入突起からなる
コネクタ。
【請求項３】
請求項１又は請求項２記載のコネクタであって、
前記コンタクトの夫々は、前記第２方向と直交する第１平面部と、前記第１方向と直交する第２平面部と、前記第１平面部と前記第２平面部とを連結する連結部とを有しており、
前記第１圧入部は、前記第１平面部から前記第１方向に突出しており、
前記第２圧入部は、前記第２平面部から前記第２方向に突出している
コネクタ。
【請求項４】
請求項１乃至請求項３のいずれかに記載のコネクタであって、
前記コネクタは、嵌合方向に沿って相手側コネクタと嵌合するものであり、
前記嵌合方向は、前記第１方向と前記第２方向の双方と直交している
コネクタ。
【請求項５】
請求項１乃至請求項４のいずれかに記載のコネクタであって、
前記コネクタは、固定ハウジングを更に備えており、且つ、回路基板に搭載されるものであり、
前記ハウジングは、可動ハウジングであり、
前記第１圧入部と前記第２圧入部とは前記可動ハウジングに保持されており、
前記コンタクトの夫々は、前記回路基板に固定される被固定部と、前記被固定部から延びるハウジング支持バネ部とを有しており、前記固定ハウジングに部分的に保持されている
コネクタ。
【請求項６】
請求項１乃至請求項５のいずれかに記載のコネクタであって、
前記コンタクトの夫々は、前記第１方向において対向する２つの接点部と、前記接点部の夫々が形成された２つの接点支持バネ部とを有しており、
前記第２圧入部は、前記接点支持バネ部の夫々に少なくとも１組ずつ設けられている
コネクタ。
【発明の詳細な説明】
【技術分野】
【０００１】
本発明は、コンタクトとハウジングとを備えるコネクタに関し、特に、コンタクトがハウジングに圧入されているコネクタに関する。
【背景技術】
【０００２】
図１２に示されるように、特許文献１には、第１コネクタ（相手側コネクタ）と、いわゆるフローティング構造の第２コネクタ（コネクタ）とが開示されている。第２コネクタは、固定ハウジングと、可動ハウジングと、コンタクトを備えている。可動ハウジングは、嵌合方向と直交する平面内において固定ハウジングに対して相対移動可能となるように、コンタクトに支持されている。
【先行技術文献】
【特許文献】
【０００３】
【特許文献１】特開２０１０−２７２３２０号公報、第２実施形態（図５〜図１０）
【発明の概要】
【発明が解決しようとする課題】
【０００４】
フローティング構造のコネクタにおいては、可動ハウジングが嵌合方向と直交する平面内において移動してしまうことから、コンタクトに対してその面内において様々な方向に向かう応力がかかることとなり、コンタクトによる可動ハウジングの支持位置がずれてしまうおそれがある。ひどい場合には、支持が外れてしまう場合がある。
【０００５】
フローティング構造を有さないコネクタの場合でも同様の力がコンタクトに加わってしまった際に問題が生じ得る。例えば、コネクタが回路基板に搭載されるものであり且つコンタクトに回路基板に固定されるＳＭＴ部が設けられている場合に、コンタクトに対して上述したような応力が加えられると、ハウジングによるコンタクトの保持がゆるくなってコンタクトが動いてしまい、ＳＭＴ部を回路基板に固定する半田にクラックが生じてしまうおそれがある。
【０００６】
そこで、本発明は、様々な方向に向かう応力がコンタクトに加えられた場合であってもハウジングとコンタクトの相対関係を保持できるコネクタを提供することを目的とする。
【課題を解決するための手段】
【０００７】
本発明は、第１のコネクタとして、
ハウジングと、
第１方向の両側に突出した少なくとも１組の第１圧入部と、前記第１方向と直交する第２方向において両側に突出した少なくとも１組の第２圧入部とを夫々有する複数のコンタクトであって、前記第１圧入部及び前記第２圧入部を前記ハウジングに圧入されることにより前記ハウジングに保持された複数のコンタクトと
を備えるコネクタを提供する。
【０００８】
また、本発明は、第２のコネクタとして、第１のコネクタであって、
前記第１圧入部及び前記第２圧入部は、夫々、圧入突起からなる
コネクタを提供する。
【０００９】
また、本発明は、第３のコネクタとして、第１又は第２のコネクタであって、
前記コンタクトの夫々は、前記第２方向と直交する第１平面部と、前記第１方向と直交する第２平面部と、前記第１平面部と前記第２平面部とを連結する連結部とを有しており、
前記第１圧入部は、前記第１平面部から前記第１方向に突出しており、
前記第２圧入部は、前記第２平面部から前記第２方向に突出している
コネクタを提供する。
【００１０】
また、本発明は、第４のコネクタとして、第１乃至第３のいずれかのコネクタであって、
前記コネクタは、嵌合方向に沿って相手側コネクタと嵌合するものであり、
前記嵌合方向は、前記第１方向と前記第２方向の双方と直交している
コネクタを提供する。
【００１１】
また、本発明は、第５のコネクタとして、第１乃至第４のいずれかのコネクタであって、
前記コネクタは、固定ハウジングを更に備えており、且つ、回路基板に搭載されるものであり、
前記ハウジングは、可動ハウジングであり、
前記第１圧入部と前記第２圧入部とは前記可動ハウジングに保持されており、
前記コンタクトの夫々は、前記回路基板に固定される被固定部と、前記被固定部から延びるハウジング支持バネ部とを有しており、前記固定ハウジングに部分的に保持されている
コネクタを提供する。
【００１２】
また、本発明は、第６のコネクタとして、第１乃至第５のいずれかのコネクタであって、
前記コンタクトの夫々は、前記第１方向において対向する２つの接点部と、前記接点部の夫々が形成された２つの接点支持バネ部とを有しており、
前記第２圧入部は、前記接点支持バネ部の夫々に少なくとも１組ずつ設けられている
コネクタを提供する。
【発明の効果】
【００１３】
本発明によれば、第１圧入部と第２圧入部とを各コンタクトに設けたことから、第１方向と第２方向とで規定される面内において様々な方向に向かう応力がコンタクトに加えられた場合であっても、ハウジングとコンタクトとの相対関係が崩れてしまうことを避けることができる。
【図面の簡単な説明】
【００１４】
【図１】本発明の実施の形態によるコネクタと相手側コネクタとを示す斜視図である。コネクタと相手側コネクタとは未嵌合状態にある。
【図２】図１のコネクタと相手側コネクタとを示す斜視図である。コネクタと相手側コネクタとは嵌合状態にある。
【図３】図１の相手側コネクタを示す他の斜視図である。
【図４】図１のコネクタを示す分解斜視図である。
【図５】図１のコネクタと相手側コネクタを示す断面斜視図である。
【図６】図１のコネクタを示す断面図である。
【図７】図１のコネクタに含まれるコンタクトを示す正面斜視図である。
【図８】図７のコンタクトを示す背面斜視図である。
【図９】変形例によるコンタクトを示す斜視図である。
【図１０】図９のコンタクトを示す正面図である。
【図１１】図９のコンタクトを示す側面図である。
【図１２】特許文献１の第１コネクタ及び第２コネクタを示す断面図である。
【発明を実施するための形態】
【００１５】
図１、図２及び図５に示されるように、本発明の実施の形態によるコネクタ１００は所謂フローティング構造を有するものであり、Ｚ方向（嵌合方向：上下方向）に沿って相手側コネクタ７００と嵌合可能なものである。
【００１６】
図１乃至図３に示されるように、相手側コネクタ７００は、絶縁体からなる相手側ハウジング７１０と、導電体からなる複数の相手側コンタクト７２０と、金属製の２つの相手側ホールドダウン７３０とを備えている。
【００１７】
相手側コンタクト７２０は、相手側ハウジング７１０に保持されている。相手側コンタクト７２０は、２つにグループ化され、Ｚ方向と直交するＹ方向（第２方向）にそれぞれ列をなして並んでいる。即ち、相手側コンタクト７２０は、２列に配列されている。相手側コンタクト７２０の列は、両者のＸ方向における中間を通り且つＺ方向に延びる軸に対して互いに対称となるように配置されている。即ち、一方の列の相手側コンタクト７２０は、他方の列の相手側コンタクトをＺ方向に延びる軸を中心に１８０°回転させた状態で配置されている。相手側ホールドダウン７３０は、相手側ハウジング７１０のＹ方向の両端近傍であって＋Ｚ側に取り付けられている。相手側コネクタ７００を相手側回路基板（図示せず）に搭載する際に、相手側ホールドダウン７３０は相手側回路基板（図示せず）に半田を用いて固定される。
【００１８】
図１、図４及び図６に示されるように、コネクタ１００は、絶縁体からなる固定ハウジング２００と、絶縁体からなる可動ハウジング３００と、導電体からなる複数のコンタクト４００と、金属製の２つのホールドダウン５００とを備えている。
【００１９】
図４及び図６から理解されるように、固定ハウジング２００は、２つの整列部２１０と、２つの受容部２２０とを有している。各整列部２１０は、Ｙ方向に延びている。各整列部２１０には、Ｚ方向及びＹ方向の双方と直交するＸ方向（第１方向）に延びる複数の溝が形成されている。それら複数の溝は互いに平行になるようにＹ方向に並んでいる。受容部２２０は、固定ハウジング２００のＹ方向の両端近傍に形成されており、−Ｚ方向（下方向）に凹んでいる。
【００２０】
図４及び図６から理解されるように、可動ハウジング（ハウジング）３００は、複数の保持部３１０と２つの被支持部３２０とを有している。保持部３１０は、後述するようにコンタクト４００を保持するための部位である。保持部３１０は、２組に分けられており、それぞれＹ方向に並ぶように設けられている。被支持部３２０は、可動ハウジング３００のＹ方向の両端に設けられており、−Ｚ方向（下方向）に突出すると共にＹ方向外側に向かって延びている。被支持部３２０は、夫々、受容部２２０にゆとりをもった状態で受容され、ＸＹ平面（水平面）内において移動可能となるように支持される。
【００２１】
図７には、図４において＋Ｘ側に位置するコンタクト列に属するコンタクト４００が示されている。図４において−Ｘ側に位置するコンタクト列に属するコンタクト４００は、図７及び図８に示されるコンタクト４００をＺ方向に延びる軸を中心に１８０°回転させて（即ち、ＸＹ平面上の一点に対して点対称となるように回転させて）配置してあるだけであり、図７及び図８に示されるコンタクト４００と同一構造を有している。従って、以下においては、図４において＋Ｘ側に位置するコンタクト列に属するコンタクト４００のみについて説明する。
【００２２】
図７及び図８に示されるように、コンタクト４００は、被保持部４１０と、２つの接点支持バネ部４６０と、２つの接点部４５０と、ハウジング支持バネ部４７０と、被固定部４８０とを有している。被保持部４１０は、可動ハウジング３００の保持部３１０に保持されている（図６参照）。各接点支持バネ部４６０は、ＸＺ平面内において弾性変形可能なものであり、被保持部４１０から＋Ｚ方向（上方向）に延びている。接点部４５０は、コネクタ１００と相手側コネクタ７００との嵌合時に、相手側コンタクト７２０と接触する部位である。接点部４５０は、接点支持バネ部４６０に夫々形成されており、ＸＺ平面内において移動可能である。ハウジング支持バネ部４７０は、略Ｎ字状の形状を有しており、弾性変形可能となっている。ハウジング支持バネ部４７０は、被保持部４１０の−Ｚ側（下側）と被固定部４８０との間を連結している。このことから理解されるように、本実施の形態による被保持部４１０は、接点支持バネ部４６０とハウジング支持バネ部４７０との間に位置している。即ち、被保持部４１０は、２種類のバネ部の間に位置している。被固定部４８０は、コネクタ１００が回路基板（図示せず）に搭載固定される際に回路基板（図示せず）に半田を用いて固定される部位である。この被固定部４８０には、＋Ｙ方向に突出したダボ４８２が形成されている。被固定部４８０のダボ４８２は整列部２１０の溝内に受容され、それによって、被固定部４８０はＹ方向への移動を規制される。図６から理解されるように、被固定部４８０が回路基板（図示せず）に固定された状態で可動ハウジング３００をＸＹ平面内において移動した場合、ハウジング支持バネ部４７０が弾性変形し、それによって、被保持部４１０は可動ハウジング３００と共に移動可能となっている。
【００２３】
図７及び図８に示されるように、本実施の形態による被保持部４１０は、第１平面部４２０と、２組の第１圧入部４２２と、２つの第２平面部４３０と、２組の第２圧入部４３２と、２つの連結部４４０とを有している。第１平面部４２０は、Ｙ方向と直交し且つＸＺ平面と平行である。１組の第１圧入部４２２は＋Ｚ側（上側）に位置し、対となる２つの第１圧入部４２２からなり、他の１組の第１圧入部４２２は−Ｚ側（下側）に位置し、対となる２つの第１圧入部４２２からなる。各組の第１圧入部４２２は、第１平面部４２０からＸ方向の両外側に向かって突出している。本実施の形態による第１圧入部４２２は、いわゆる突出形成した圧入突起である。即ち、第１圧入部４２２は、直角又は鋭角の角部を有する矢羽根状の形状を有している。本実施の形態において、−Ｚ側（下側）に位置する第１圧入部４２２の突出量は、＋Ｚ側（上側）に位置する第１圧入部４２２の突出量よりも多い。第２平面部４３０は、連結部４４０によって第１平面部４２０と夫々連結されている。各第２平面部４３０は、Ｘ方向と直交し且つＹＺ平面と平行である。即ち、連結部４４０は、第１平面部４２０と第２平面部４３０とが直交するように、第１平面部４２０と第２平面部４３０とを連結している。連結部４４０は、第１平面部４２０に加わった応力が第２平面部４３０に伝わることを防ぐと共に第２平面部４３０に加わった応力が第１平面部４２０に伝わることを防いでいる。第２圧入部４３２は、各第２平面部４３０に１組（即ち、対となる２つの第２圧入部４３２）ずつ形成されている。各組の第２圧入部４３２は、対応する第２平面部４３０からＹ方向の両外側に向かって突出している。本実施の形態による第２圧入部４３２も、いわゆる圧入突起である。図６から理解されるように、第１圧入部４２２と第２圧入部４３２は、可動ハウジング３００の保持部３１０に圧入されている。
【００２４】
上述したように、本実施の形態の被保持部４１０は、２種類のバネ部（接点支持バネ部４６０とハウジング支持バネ部４７０）の間に位置しており、様々な方向に向かう力を受けている。しかしながら、被保持部４１０は、Ｘ方向の両外側に突出した第１圧入部４２２と、Ｙ方向の両外側に突出した第２圧入部４３２とを有していることから、保持部３１０にしっかりと保持され続けることができ、保持部３１０による被保持部４１０の保持が緩んでしまったり外れてしまうことがない。
【００２５】
上述した実施の形態において、被保持部４１０は、２組の第１圧入部４２２を有していたが、本発明はこれに限定されるものではなく、１組のみの第１圧入部４２２を有していてもよい。また、被保持部４１０は、第２平面部４３０毎に１組のみの第２圧入部４３２を有していたが、本発明はこれに限定されるものではなく、各第２平面部４３０に対して２組以上の第２圧入部４３２を設けることとしてもよい。
【００２６】
上述した実施の形態において、第１平面部４２０と第２平面部４３０とは、連結部４４０によって連結されており、且つ、互いに直交していたが、本発明はこれに限定されるものではない。例えば、第１平面部４２０と第２平面部４３０とを並行となるように設け、連結部４４０を省略してもよい。その場合、第１圧入部４２２及び第２圧入部４３２のいずれかはダボや第１平面部４２０又は第２平面部４３０の一部を第１平面部４２０又は第２平面部４３０と交差する方向に切り起こして形成される。
【００２７】
上述した実施の形態において、第１圧入部４２２と第２圧入部４３２は突出した圧入突起であったが、打ち出し形成するダボ等で構成されていてもよい。但し、ダボと比較して圧入突起の方がハウジング（可動ハウジング）３００に食い込むことから、保持部３１０による被保持部４１０の保持がより確実なものとなる。
【００２８】
上述した実施の形態において、コンタクト４００は、接点部４５０を備えた接点支持バネ部４６０を２つ有していたが、本発明はこれに限定されるものではない。例えば、コンタクト４００は、１つのみの接点支持バネ部４６０を有していてもよい（図９のコンタクト構造参照）。
【００２９】
上述した実施の形態によるコネクタ１００は、いわゆるフローティング構造を有するものであったが、本発明はこれに限定されるものではない。フローティング構造を有しないコネクタのコンタクトに対しても本実施の形態による被保持部４１０の概念は適用可能である。
【００３０】
以下、図９乃至図１１を参照して、本実施の形態によるコンタクト４００（図７及び図８参照）の変形例であって、フローティング構造を有しないコネクタのコンタクト４００Ａの例を説明する。図９乃至図１１に示されるコンタクト４００Ａは、被保持部４１０Ａから延びる接点支持バネ部４６０Ａと、接点支持バネ部４６０Ａに支持された接点部４５０Ａと、被保持部４１０Ａから延びる被固定部４８０Ａとを有している。被保持部４１０Ａは、被固定部４８０Ａと接点支持バネ部４６０Ａとの間に位置している。
【００３１】
被保持部４１０Ａは、第１平面部４２０Ａと、２組の第１圧入部４２２Ａと、第２平面部４３０Ａと、１組の第２圧入部４３２Ａと、連結部４４０Ａとを有している。第１平面部４２０Ａと第２平面部４３０Ａは夫々１つである。第１平面部４２０Ａと第２平面部４３０Ａとは互いに直交している。各組の第１圧入部４２２Ａは、第１平面部４２０Ａから両外側に突出している。１組の第２圧入部４３２Ａ（即ち、２つの第２圧入部４３２Ａ）は、第２平面部４３０Ａから両外側に突出している。即ち、第１圧入部４２２Ａの突出方向は、第２圧入部４３２Ａの突出方向と直交している。従って、かかる構造のコンタクト４００Ａをハウジング（図示せず）に圧入すると、コンタクト４００Ａに様々な方向の応力が加わったとしても、ハウジングによるコンタクト４００Ａの保持が緩むことがない。また、ハウジングに応力が被固定部４８０Ａに伝わりにくくなることから、被固定部４８０Ａが回路基板（図示せず）に固定された状態において固定のために用いられた半田にクラックが生じてしまうことを抑制することができる。
【００３２】
上述した各実施の形態において、一組の第１圧入部４２２、４２２Ａ及び第２圧入部４３２、４３２Ａのそれぞれの組内における圧入突起の形状は同一形状であったが、各組内における圧入突起、即ち対となる圧入突起の形状は異なる形状であっても良い。
【符号の説明】
【００３３】
１００        コネクタ
２００        固定ハウジング
２１０        整列部
２２０        受容部
３００        可動ハウジング（ハウジング）
３１０        保持部
３２０        被支持部
４００，４００Ａ        コンタクト
４１０，４１０Ａ        被保持部
４２０，４２０Ａ        第１平面部
４２２，４２２Ａ        第１圧入部
４３０，４３０Ａ        第２平面部
４３２，４３２Ａ        第２圧入部
４４０，４４０Ａ        連結部
４５０，４５０Ａ        接点部
４６０，４６０Ａ        接点支持バネ部
４７０        ハウジング支持バネ部
４８０，４８０Ａ        被固定部
４８２        ダボ
５００        ホールドダウン
７００        相手側コネクタ
７１０        相手側ハウジング
７２０        相手側コンタクト
７３０        相手側ホールドダウン
【図１】
2015035283.tif 000003
【図２】
2015035283.tif 000004
【図３】
2015035283.tif 000005
【図４】
2015035283.tif 000006
【図５】
2015035283.tif 000007
【図６】
2015035283.tif 000008
【図７】
2015035283.tif 000009
【図８】
2015035283.tif 000010
【図９】
2015035283.tif 000011
【図１０】
2015035283.tif 000012
【図１１】
2015035283.tif 000013
【図１２】
2015035283.tif 000014